(57)【要約】【課題】画像中の色域外領域の検査や把握をより簡便かつ直感的に行うことのできる利便性に優れた技術を提供する。【解決手段】本発明の画像処理装置は、所定の色域に含まれる第１の色と前記所定の色域に含まれない第２の色とを含む第１画像を取得する取得手段と、前記第２の色を所定の色に変換し、かつ、前記第１の色を前記第１の色の色相に対応する色相をもち、かつ、前記所定の色と異なる色に変換して、第２画像を生成する生成手段と、を備える。【選択図】図１
2020108048.tif 000002
【特許請求の範囲】
【請求項１】
所定の色域に含まれる第１の色と前記所定の色域に含まれない第２の色とを含む第１画像を取得する取得手段と、
前記第２の色を所定の色に変換し、かつ、前記第１の色を前記第１の色の色相に対応する色相をもち、かつ、前記所定の色と異なる色に変換して、第２画像を生成する生成手段と、
を備えることを特徴とする画像処理装置。
【請求項２】
前記生成手段は、前記第１の色を前記第１の色の色相と同じ色相をもち、かつ、前記所定の色と異なる色に変換して、前記第２画像を生成することを特徴とする請求項１に記載の画像処理装置。
【請求項３】
前記生成手段は、前記第１画像の前記第１の色の輝度を低下させて、前記第２画像を生成することを特徴とする請求項１または請求項２に記載の画像処理装置。
【請求項４】
前記生成手段における前記第１の色の輝度の低下度合いを決めるパラメータをユーザに設定させるための輝度設定手段をさらに有することを特徴とする請求項３に記載の画像処理装置。
【請求項５】
前記輝度設定手段は、前記第１画像において前記第１の色を有する領域が前記第２画像において取り得る輝度の最大値と、前記所定の色の輝度よりも低くなる前記パラメータの範囲をユーザに示すことを特徴とする請求項４に記載の画像処理装置。
【請求項６】
前記所定の色は、前記第１画像の前記第１の色を有する領域が前記第２画像において取り得る輝度の最大値よりも高い輝度を有する色であることを特徴とする請求項１乃至請求項５のいずれか１項に記載の画像処理装置。
【請求項７】
前記生成手段は、前記第１画像の前記第１の色の彩度を低下させて前記第２画像を生成することを特徴とする請求項１乃至請求項６のいずれか１項に記載の画像処理装置。
【請求項８】
前記生成手段における前記第１の色の彩度の低下度合いを決めるパラメータをユーザに設定させるための彩度設定手段をさらに有することを特徴とする請求項７に記載の画像処理装置。
【請求項９】
前記彩度設定手段は、前記第１画像において前記第１の色を有する領域が前記第２画像において取り得る彩度の最大値が、前記所定の色の彩度よりも低くなる前記パラメータの範囲をユーザに示すことを特徴とする請求項８に記載の画像処理装置。
【請求項１０】
前記所定の色は、前記第１画像の前記第１の色を有する領域が前記第２画像において取り得る彩度の最大値よりも高い彩度を有する色であることを特徴とする請求項１乃至請求項９のいずれか１項に記載の画像処理装置。
【請求項１１】
前記所定の色域をユーザに設定させるための色域設定手段をさらに有する
ことを特徴とする請求項１乃至請求項１０のいずれか１項に記載の画像処理装置。
【請求項１２】
前記色域設定手段は、複数の色域規格の中から前記所定の色域をユーザに選択させる
ことを特徴とする請求項１１に記載の画像処理装置。
【請求項１３】
請求項１乃至請求項１２のいずれか１項に記載の画像処理装置と、
前記画像処理装置によって生成された前記第２画像に基づいて画像を表示する表示手段と、を有することを特徴とする表示装置。
【請求項１４】
前記第２画像に基づいて画像を表示する場合に、前記第１画像において前記第１の色を有する領域が前記第１画像と同じ輝度で表示されるように、前記表示手段の輝度を制御する制御手段をさらに有することを特徴とする請求項１３に記載の表示装置。
【請求項１５】
所定の色域に含まれる第１の色と前記所定の色域に含まれない第２の色とを有する画像を取得する取得手段と、
前記第２の色については所定の色で表示されるように表示手段を制御し、前記第１の色については前記第１の色の色相に対応する色相をもち、かつ、前記所定の色と異なる色で表示されるように、前記表示手段を制御する制御手段と、
を備えることを特徴とする表示制御装置。
【請求項１６】
所定の色域に含まれる第１の色と前記所定の色域に含まれない第２の色とを含む第１画像を取得するステップと、
前記第２の色を所定の色に変換し、かつ、前記第１の色を前記第１の色の色相に対応する色相をもち、かつ、前記所定の色と異なる色に変換して、第２画像を生成するステップと、
を有することを特徴とする画像処理装置の制御方法。
【請求項１７】
前記第２画像を生成するステップでは、前記第１の色を前記第１の色の色相と同じ色相をもち、かつ、前記所定の色と異なる色に変換して、前記第２画像を生成することを特徴とする請求項１６に記載の画像処理装置の制御方法。
【請求項１８】
前記第２画像を生成するステップでは、前記第１画像の前記第１の色の輝度を低下させて、前記第２画像を生成することを特徴とする請求項１６または請求項１７に記載の画像処理装置の制御方法。
【請求項１９】
前記第２画像を生成するステップでは、前記第１画像の前記第１の色の彩度を低下させて前記第２画像を生成することを特徴とする請求項１６乃至請求項１８のいずれか１項に記載の画像処理装置の制御方法。
【請求項２０】
所定の色域に含まれる第１の色と前記所定の色域に含まれない第２の色とを有する画像を取得するステップと、
前記第２の色については所定の色で表示されるように表示手段を制御し、前記第１の色については前記第１の色の色相に対応する色相をもち、かつ、前記所定の色と異なる色で表示されるように、前記表示手段を制御するステップと、
を有することを特徴とする表示制御方法。
【請求項２１】
コンピュータを請求項１乃至請求項１２のいずれか１項に記載の画像処理装置の各手段として機能させるためのプログラム。
【請求項２２】
コンピュータを請求項１乃至請求項１２のいずれか１項に記載の画像処理装置の各手段として機能させるためのプログラムを記憶したコンピュータ読取可能な記録媒体。
【発明の詳細な説明】
【技術分野】
【０００１】
本発明は、色域外の領域を含む画像を表示する技術に関する。
【背景技術】
【０００２】
画像データで規定される色域よりも、表示装置で表示可能な色域（出力色域又は色再現範囲と呼ばれる。）が狭い場合がある。出力色域よりも広い色域をもつ画像データが表示装置に入力された場合、画像データのうち出力色域の外側（色域外）の色は正しい色（つまり、画像データで定義された意図通りの色）で表示できない。それゆえ、映像制作などの分野では、画像データに色域外の領域が存在するかどうかを簡便に検査ないし把握したいというニーズがある。特許文献１には、色域内の画素をモノクロ（グレースケールなど）で表示し、色域外の画素を警告色で表示することによって、表示画像中の色域内の領域と色域外の領域を視覚的に区別可能とする技術が開示されている。
【先行技術文献】
【特許文献】
【０００３】
【特許文献１】特開２００５−１２８０２号公報
【発明の概要】
【発明が解決しようとする課題】
【０００４】
特許文献１の方法は、色域外の領域を視認しやすいという利点がある。しかしながら、特許文献１の表示画像は、色域内の領域の色情報が失われている（モノクロ表示される）ため、その表示画像を視るだけでは元の画像がどのような色調をもっていたのかを認識することができない。そのため、ユーザは、画像中のどのあたりに色域外の領域が存在するのかは認識できるものの、例えば、どのような色が色域を外れているのかを直観的に把握することは難しい。
【０００５】
本発明は、上記実情に鑑みなされたものであり、画像中の色域外領域の検査や把握をより簡便かつ直感的に行うことのできる利便性に優れた技術を提供することを目的とする。
【課題を解決するための手段】
【０００６】
本発明の第１側面は、所定の色域に含まれる第１の色と前記所定の色域に含まれない第２の色とを含む第１画像を取得する取得手段と、前記第２の色を所定の色に変換し、かつ、前記第１の色を前記第１の色の色相に対応する色相をもち、かつ、前記所定の色と異なる色に変換して、第２画像を生成する生成手段と、を備えることを特徴とする画像処理装置を提供する。
【０００７】
本発明の第２側面は、本発明に係る画像処理装置と、前記画像処理装置によって生成された前記第２画像に基づいて画像を表示する表示手段と、を有することを特徴とする表示装置を提供する。
【０００８】
本発明の第３側面は、所定の色域に含まれる第１の色と前記所定の色域に含まれない第２の色とを有する画像を取得する取得手段と、前記第２の色については所定の色で表示されるように表示手段を制御し、前記第１の色については前記第１の色の色相に対応する色相をもち、かつ、前記所定の色と異なる色で表示されるように、前記表示手段を制御する制御手段と、を備えることを特徴とする表示制御装置を提供する。
【０００９】
本発明の第４側面は、所定の色域に含まれる第１の色と前記所定の色域に含まれない第
２の色とを含む第１画像を取得するステップと、前記第２の色を所定の色に変換し、かつ、前記第１の色を前記第１の色の色相に対応する色相をもち、かつ、前記所定の色と異なる色に変換して、第２画像を生成するステップと、を有することを特徴とする画像処理装置の制御方法を提供する。
【００１０】
本発明の第５側面は、所定の色域に含まれる第１の色と前記所定の色域に含まれない第２の色とを有する画像を取得するステップと、前記第２の色については所定の色で表示されるように表示手段を制御し、前記第１の色については前記第１の色の色相に対応する色相をもち、かつ、前記所定の色と異なる色で表示されるように、前記表示手段を制御するステップと、を有することを特徴とする表示制御方法を提供する。
【００１１】
本発明の第６側面は、コンピュータを本発明に係る画像処理装置の各手段として機能させるためのプログラムを提供する。
【００１２】
本発明の第７側面は、コンピュータを本発明に係る画像処理装置の各手段として機能させるためのプログラムを記憶したコンピュータ読取可能な記録媒体を提供する。
【発明の効果】
【００１３】
本発明によれば、画像中の色域外領域の検査や把握をより簡便かつ直感的に行うことのできる利便性に優れた技術を提供することができる。
【図面の簡単な説明】
【００１４】
【図１】実施例１の表示装置の一例を示すブロック図。
【図２】実施例１の色域外表示処理のフローチャート。
【図３】実施例１の色域外表示処理の設定ＧＵＩの例を示す図。
【図４】図２のステップＳ２２の判定処理のフローチャート。
【図５】ｘｙ色度図上における色域と対象画素のｘｙ値の例を示す図。
【図６】色域外表示処理の設定値の例を示す図。
【図７】図６Ａ〜図６Ｄの設定値に対応する表示画像の例を示す図。
【図８】各色の表示輝度の相対関係を示す図。
【図９】色域外表示処理の設定ＧＵＩの他の例を示す図。
【図１０】実施例２の表示装置の一例を示すブロック図。
【図１１】実施例２の色域外表示処理の設定ＧＵＩの例を示す図。
【図１２】色域外表示処理の設定値の例を示す図。
【図１３】図１２Ａ〜図１２Ｄの設定値に対応する表示画像の例を示す図。
【図１４】実施例３の表示装置の一例を示すブロック図。
【図１５】実施例４の表示装置の一例を示すブロック図。
【発明を実施するための形態】
【００１５】
＜実施例１＞
（表示装置）
本発明の実施例１に係る表示装置について説明する。図１は、本実施例に係る表示装置１００の構成の一例を示すブロック図である。表示装置１００は、Ｉ／Ｆ部１０１、制御部１０２、メモリ１０３、画像処理部１０４、パネル制御部１０５、パネル１０６、バックライト制御部１０７、バックライト１０８で構成される。
【００１６】
Ｉ／Ｆ部１０１は、ユーザの操作を受け付けるユーザインタフェースを提供する機能である。例えば、Ｉ／Ｆ部１０１は、表示装置１００にＧｒａｐｈｉｃａｌ  Ｕｓｅｒ  Ｉｎｔｅｒｆａｃｅ（ＧＵＩ）を表示する。ユーザがリモートコントローラーやボタンスイッチ等を操作し、ＧＵＩ上のボタンやメニューを選択することで、表示装置１００の設定
値の変更などを指示することができる。
【００１７】
制御部１０２は、各機能ブロックの動作を制御する演算処理装置である。制御部１０２は、例えば、Ｃｅｎｔｒａｌ  Ｐｒｏｃｅｓｓｉｎｇ  Ｕｎｉｔ（ＣＰＵ）である。メモリ１０３は、制御部１０２や各機能ブロックが処理に用いるパラメータやプログラムを記憶する記憶媒体である。制御部１０２は、メモリ１０３から読み出したプログラムを実行して、各機能ブロックの動作を制御する。
【００１８】
画像処理部１０４は、表示装置１００に入力された画像データ（以下、入力画像データと呼ぶ）に対し画像処理を施して、出力画像データを生成する画像処理装置である。出力画像データはパネル制御部１０５に出力される。画像処理は、例えば、色域変換、色域外（ＯＯＧ）表示、色補正、輝度（階調）補正、信号フォーマット変換、コントラスト強調、解像度変換、超解像、ノイズ低減、フレームレート変換、ヒストグラム検出、特徴抽出、画像解析、画像認識を含むとよい。画像処理部１０４はこれらの全ての画像処理機能を有していてもよいし、一部の画像処理機能のみを有していてもよい。画像処理部１０４は、入力画像データに対し、必要に応じた画像処理を施す。
【００１９】
画像処理部１０４は、Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）により構成してもよいし、ＣＰＵなどの汎用プロセッサと画像処理プログラムにより構成してもよい。また、画像処理部１０４の機能の全部又は一部を制御部１０２が提供してもよい。あるいは、分散コンピューティングやクラウドコンピューティングの技術を利用し、画像処理部１０４の機能の一部を他のコンピュータ（又はプロセッサ）に実行させてもよい。
【００２０】
パネル制御部１０５は、画像処理部１０４から出力される出力画像データがパネル１０６に表示されるよう、パネル１０６を制御する。パネル１０６は、パネル制御部１０５の制御に基づいて出力画像データを表示する液晶ディスプレイパネルである。なお、パネル１０６としては、ＭＥＭＳシャッターにより光を変調するＭＥＭＳディスプレイパネルを用いてもよい。
【００２１】
バックライト制御部１０７は、ＰＷＭ（Ｐｕｌｓｅ  Ｗｉｄｔｈ  Ｍｏｄｕｌａｔｉｏｎ）制御により、バックライト１０８を構成する光源の輝度を調整する。ＰＷＭ制御のデューティ比は、制御部１０２により算出される。光源としては、ＬＥＤ（Ｌｉｇｈｔ  Ｅｍｉｔｔｉｎｇ  Ｄｉｏｄｅ）、レーザーなどを好ましく用いることができる。バックライト１０８は、パネル１０６の背面から光を照射する発光装置である。表示装置１００は、バックライト１０８から照射された光を、パネル１０６を通して出力することにより、出力画像データを映し出す。
【００２２】
（画像処理部）
画像処理部１０４は、色域外（Ｏｕｔ  Ｏｆ  Ｇａｍｕｔ；ＯＯＧ）表示機能を有する。色域外表示機能は、入力画像における、所定の色域に含まれる色（「第１の色」と呼ぶ）と所定の色域に含まれない色（「第２の色」と呼ぶ）を識別可能に表示する機能である。言い換えると、入力画像が所定の色域に含まれる領域（「色域内領域」又は「第１領域」と呼ぶ）と所定の色域に含まれない領域（「色域外領域」又は「第２領域」と呼ぶ）を含む画像である場合に、色域内領域と色域外領域を識別可能に表示する機能である。本実施例の色域外表示機能は、入力画像における第２の色を所定の色（色域外であることを識別可能にするための色）に変換する。一方、入力画像における第１の色（色域内の色）については、第１の色の色相に対応する色相をもち、かつ、上記所定の色とは異なる色に変換する。そして、色変換された画像を表示する。すなわち、本実施例の色域外表示機能は、色域内領域の画素を入力画像の色相を維持した色で表示し、且つ、色域外領域の画素を
色域内領域には含まれない所定の色（色域内領域とは明らかに異なる色）で表示する点に特徴の一つを有する。このような表示により、ユーザは、元の画像のうち色域内領域の色調（色相）を確認・把握しつつ、画像中の色域外領域を容易に判別することができる。したがって、色域外表示機能を用いることにより、例えば、映像の検査・確認、映像制作の効率化や利便性向上を図ることができる。
【００２３】
図１は、色域外表示機能に関わる構成の一例を示している。すなわち、画像処理部１０４は、色域外表示処理に関わる機能として、色域外判定部１０９、信号ゲイン調整部１１０、色変換部１１１、信号切換部１１２を有している。このうち、色域外判定部１０９、信号ゲイン調整部１１０、及び色変換部１１１が、入力画像から色域外表示用の出力画像を生成する機能を構成している。色域外判定部１０９は、入力画像データの色域外領域を判定する。信号ゲイン調整部１１０は、入力画像データのゲイン調整を行う。色変換部１１１は、色域外領域の画素の色を所定の色（色域外色）に置き換える。信号切換部１１２は、パネル制御部１０５に出力する画像データを、色変換部１１１から出力される画像データ（色域外表示用の画像データ）と、元の入力画像データとの間で切り換える。これらの機能は、制御部１０２によって制御される。
【００２４】
（色域外表示処理）
図２のフローチャートを参照して、色域外表示処理の流れを説明する。図２のステップＳ２０〜Ｓ２６は画像処理部１０４（色域外表示機能）の処理であり、ステップＳ２７〜Ｓ２９は表示装置１００（制御部１０２、パネル制御部１０５、バックライト制御部１０７）の処理である。
【００２５】
ステップＳ２０では、画像処理部１０４が入力画像データを取得する。入力画像データは、コンピュータや映像出力装置などの外部機器から入力される画像データでもよいし、ネットワークを通じて受信する画像データでもよいし、放送波を通じて受信する画像データでもよいし、ストレージなどから読み込む画像データでもよい。図２では図示しないが、画像処理部１０４は、入力画像データに対して必要な前処理（フォーマット変換、ノイズ低減など）を施してもよい。
【００２６】
ステップＳ２１では、画像処理部１０４が、現在の表示モードが色域外表示モードであるか通常表示モードであるかを確認する。色域外表示モードの場合は、ステップＳ２２へ進み、色域外表示処理が実行される。他方、通常表示モードの場合は、ステップＳ２２〜Ｓ２５の処理はスキップされ、入力画像データがそのまま出力される。
【００２７】
図３Ａは、Ｉ／Ｆ部１０１により提供される、色域外表示処理に関する設定値を入力するための設定ＧＵＩの一例である。ユーザが、項目３００の「色域外表示」を「ＯＮ」に設定すると色域外表示モードとなり、「色域外表示」を「ＯＦＦ」に設定すると通常表示モードとなる。
【００２８】
ステップＳ２２では、色域外判定部１０９が、入力画像データの全ての画素について色域外か色域内かを判定し、入力画像データを色域外領域と色域内領域に区分けする。判定に用いる「色域」は、予め設定される色域条件に基づいて定められる。ユーザは、図３ＡのＧＵＩの項目３０１の「色域条件」に所望の色域条件を設定することができる。すなわち、項目３０１は、色域外表示処理に用いる所定の色域をユーザに設定させるための色域設定ＧＵＩである。例えば図３Ａのように色域条件が「Ｒｅｃ．７０９」と設定された場合、色域外判定部１０９は、入力画像データを構成する全ての画素のうち、Ｒｅｃ．７０９の色域外の色が指定された画素の領域を色域外領域と判定する。図３Ａの項目３０１では、色域条件を、例えば、Ｒｅｃ．７０９、Ｒｅｃ．２０２０、ＥＢＵ、ＳＭＰＴＥ−Ｃ、ＤＣＩ−Ｐ３、ｓＲＧＢ、Ａｄｏｂｅ  ＲＧＢ、ＮＴＳＣなどの複数の色域規格の中か
ら選択できるとよい。あるいは、Ｉ／Ｆ部１０１は、任意の色域条件をユーザに入力させるためのＧＵＩ（例えば、ｘｙ色度図上に色域を示す多角形を描画させるＧＵＩなど）を提供してもよい。
【００２９】
図４のフローチャートを参照して、ステップＳ２２の判定処理の詳細を説明する。図４の処理は、入力画像データの各画素に対して適用される処理である。言い換えると、入力画像データの全ての画素について、図４の処理が繰り返し適用される。
【００３０】
ステップＳ４０で、色域外判定部１０９は、入力画像データの画素値をＲＧＢ値からｘｙ値（ｘｙ色度図における座標値）に変換する。入力画像データの色域がＲｅｃ．２０２０である場合は、例えば、式１〜式３を用いてｘｙ値を計算してもよい。式１において、Ｒｉｎ、Ｇｉｎ、Ｂｉｎは、入力画像データのＲＧＢ値である。また、式１の３×３マトリクスは、Ｒｅｃ．２０２０色域のＲＧＢ値をＸＹＺ値（ＸＹＺ表色系における三刺激値）に変換する変換行列である。ここで、入力画像データＲｉｎ、Ｇｉｎ、Ｂｉｎは、リニア色空間のＲＧＢ値とする。
【数１】
2020108048.tif 000003
【００３１】
ステップＳ４１で、色域外判定部１０９は、ステップＳ４０で得られたｘｙ値、および、予め設定された色域条件に基づき、当該画素が色域外か色域内かを判定する。入力画像データの対象画素ｔのｘｙ値を［ｘｔ，ｙｔ］、色域条件をＲｅｃ．７０９とした場合、ｘｙ値［ｘｔ，ｙｔ］が式４の何れかの条件に該当したら、当該画素ｔの色は色域外であると判定する（ステップＳ４２）。ｘｙ色度図上で示した場合、図５Ａのケースが色域外と判定される。ｘｙ値［ｘｔ，ｙｔ］が、式４の何れの条件にも該当しない場合は、当該画素ｔの色は色域内であると判定する（ステップＳ４３）。ｘｙ色度図上で示した場合、図５Ｂのケースが色域内と判定される。色域外判定部１０９の判定結果は、色変換部１１１に入力される。
【数２】
2020108048.tif 000004
【００３２】
図２の説明に戻る。ステップＳ２３では、信号ゲイン調整部１１０が、予め設定された信号ゲイン値を用いて、入力画像データのゲイン調整を行う。具体的には、信号ゲイン調整部１１０は、入力画像データの各画素の値に対し、信号ゲイン値ＳＧを乗じることによって、ゲイン調整された画像データを出力する。ゲイン調整された画像データは、色変換部１１１に入力される。なお、ゲイン調整された画像データは、入力画像データに対して輝度が低下（階調圧縮）されてはいるものの、入力画像データの色相は保持されている。
【００３３】
ユーザは、図３ＡのＧＵＩの項目３０３の「信号ゲイン」において、スライダーを操作するか、テキストボックスに値を入力することにより、所望の信号ゲイン値ＳＧを設定することができる。この項目３０３が、色域内領域の画素の輝度の低下度合いを決めるパラメータである信号ゲインＳＧをユーザに設定させるための輝度設定ＧＵＩであり、本例では、信号ゲインＳＧを０．０〜１．０の範囲で設定可能である。
【００３４】
ステップＳ２４では、色変換部１１１が、色域外判定部１０９の判定結果に基づいて、ゲイン調整された画像データのうちの色域外領域の画素の色を、色域外であることを示す所定の色（色域外色）に置き換える。色域外色は、図３ＡのＧＵＩの項目３０２にて所望の色を設定可能である。図３Ａの例では、「緑」が色域外色に設定されている。例えば、画像データのＲＧＢそれぞれの値が０．０〜１．０の範囲をとる場合、色変換部１１１は、色域外領域の画素のＲＧＢ値を、Ｒ＝０．０、Ｇ＝１．０、Ｂ＝０．０に置き換える。
【００３５】
色変換部１１１は、色域内領域の画素の色は変更しない。したがって、色変換部１１１から信号切換部１１２へ出力される画像データは、入力画像データの色相が保持された色域内領域と、所定の色に置き換えられた色域外領域とから構成される画像データとなる。なお、信号ゲイン値ＳＧ及び色域外色はそれぞれ任意に設定できるようにしてよいが、ゲイン調整後の色域内領域の画素が色域外色と似た色をとらないように、信号ゲイン値ＳＧ及び色域外色の設定値に規制を設けてもよい。例えば、色域外色には、ＲＧＢのいずれかの値が１．０であるような高輝度ないし高彩度の色のみを設定できるようにし、信号ゲイン値ＳＧには、１．０より十分に小さい値（例えば、０．５以下の値）しか設定できないようにしてもよい。あるいは、信号ゲイン調整後の画素が取り得る輝度の最大値よりも高い輝度を有する色しか、色域外色に設定できないようにしてもよい。
【００３６】
ステップＳ２５では、信号切換部１１２が、パネル制御部１０５へ画像データを出力する。色域外表示モードの場合、信号切換部１１２は、色変換部１１１から得られた画像データ（色域外表示用の画像データ）をパネル制御部１０５へと出力する。他方、通常表示モードの場合は、信号切換部１１２は、入力画像データをそのままパネル制御部１０５へと出力する。前述のように、色域外表示モードと通常表示モードの切り替えはユーザ操作により行うことができる（図３Ａの項目３００参照）。言い換えれば、信号切換部１１２は、色域外表示モードと通常表示モードとをユーザ操作に基づいて切り換えることが可能である。
【００３７】
ステップＳ２６〜Ｓ２８は、表示装置１００における画像の表示制御に関わる処理である。ステップＳ２６では、制御部１０２が、色域内輝度維持モードがＯＮであるかＯＦＦであるかを確認する。色域内輝度維持モードは、色域内領域が元の入力画像データと同じ（又は実質的に同じ）輝度で表示されるように、色域外表示用の画像データの表示輝度を制御するモードである。すなわち、色域内輝度維持モードがＯＮの場合、色域内領域には、入力画像データと同じ（又は実質的に同じ）輝度及び色の画像が表示されることとなる。他方、色域内輝度維持モードがＯＦＦの場合、色域内領域には、入力画像データと同じ色調の画像が入力画像データよりも低い輝度（信号ゲイン値Ｇにより調整された輝度）で表示されることとなる。ユーザは、図３ＡのＧＵＩの項目３０４において、色域内輝度維持モードのＯＮ／ＯＦＦを切り替えることができる。
【００３８】
色域内輝度維持モードがＯＮの場合、ステップＳ２７に進む。ステップＳ２７において、制御部１０２は、信号ゲイン調整部１１０で画像データに施された輝度変換（階調圧縮）をキャンセルするために、バックライト１０８の輝度（光量）を増加させる。具体的には、制御部１０２は、信号ゲイン調整部１１０で用いた信号ゲイン値ＳＧの逆数（１／ＳＧ）をバックライトゲイン値ＢＧとして算出し、これをバックライト制御部１０７に設定する。例えば、信号ゲイン値ＳＧが０．５の場合、バックライトゲイン値ＢＧはＢＧ＝１
／０．５＝２．０となる。
【００３９】
ただし、ステップＳ２７でバックライト制御部１０７に設定されるバックライトゲイン値ＢＧは、上限値を超えないようにリミットされ、または、メニュー画面上で制限されるとよい。例えば、通常表示における最大輝度を１０００［ｃｄ／ｍ２］、表示装置１００が表示可能な最大輝度を２０００［ｃｄ／ｍ２］とした場合、バックライトゲイン値ＢＧは、２０００［ｃｄ／ｍ２］／１０００［ｃｄ／ｍ２］＝２．０を超えないようにする。なお、通常表示では、バックライトゲイン値ＢＧ＝１．０である。
【００４０】
ステップＳ２８では、画像データの表示処理が行われる。具体的には、バックライト制御部１０７が、バックライトゲイン値ＢＧに応じた輝度で発光するよう、バックライト１０８を制御する。そして、パネル制御部１０５が、信号切換部１１２から受け取った画像データに基づきパネル１０６を制御し、バックライト１０８の照射光を変調することで、画面（パネル１０６の表示面）に画像を形成する。
【００４１】
図６Ａ〜図６Ｄに色域外表示処理の設定値の例を示し、それぞれの設定値に対応する表示画像の例を図７Ａ〜図７Ｄに示す。図７Ａに示すように、入力画像データはオブジェクト７０とオブジェクト７１を含む画像であり、オブジェクト７０の一部分がＲｅｃ．７０９の色域外であり、それ以外の領域はＲｅｃ．７０９の色域内であるとする。
【００４２】
図７Ａは、図６Ａに示すように、ユーザ操作によって色域外表示がＯＦＦに設定された場合に、表示装置１００に表示される画像の例である。この場合、信号ゲイン調整部１１０および色変換部１１１をスルーして、入力画像データがそのまま表示装置１００に表示される。
【００４３】
図７Ｂは、図６Ｂに示すように、ユーザ操作によって色域外表示がＯＮに設定され、かつ、信号ゲイン値ＳＧが１．０に設定された場合に、表示装置１００に表示される画像の例である。この場合、信号ゲイン調整部１１０で入力画像データに１．０倍の信号ゲインがかけられた後、色変換部１１１で色域外領域の画素値が所定の色（色域外色）に置き換えられる。この例では、オブジェクト７０中の色域外領域が緑色（Ｒ＝０、Ｇ＝１．０、Ｂ＝０）に置き換えられた画像が、表示装置１００に表示される。このとき、図７Ｂに示すように、表示画像の近傍又は表示画像に重ねて、色域外色を示すガイドを表示するとよい。このようなガイドにより、ユーザは色域外領域を容易に識別することができる。
【００４４】
図７Ｃは、図６Ｃに示すように、ユーザ操作によって色域外表示がＯＮに設定され、かつ、信号ゲイン値ＳＧが０．５に設定された場合に、表示装置１００に表示される画像の例である。この場合、信号ゲイン調整部１１０で入力画像データに０．５倍の信号ゲインがかけられた後、色変換部１１１で色域外領域の画素値が所定の色（色域外色）に置き換えられる。これにより、色域内領域が入力画像データの１／２の輝度で表示され、色域外領域が高輝度な緑色で表示される。したがって、色域内領域と色域外領域とのあいだで表示輝度に明らかな差をつけることができるので、色域外領域の識別性・視認性を向上できる。
【００４５】
図７Ｄは、図６Ｄに示すように、ユーザ操作によって色域外表示がＯＮに設定され、かつ、信号ゲイン値ＳＧが０．５に設定され、かつ、色域内輝度維持モードがＯＮに設定された場合に、表示装置１００に表示される画像の例である。この場合、信号ゲイン調整部１１０で入力画像データに０．５倍の信号ゲインがかけられた後、色変換部１１１で色域外領域の画素値が所定の色（色域外色）に置き換えられる。加えて、バックライトゲイン値ＢＧが２．０に設定され、バックライト輝度が２倍になる。そのため、色域内領域は入力画像データと同じ輝度及び色で表示され、色域外領域は通常表示の２倍の輝度で所定の
色で表示される。これにより、入力画像データの表示輝度を低下させることなく、色域内領域と色域外領域とのあいだで表示輝度に明らかな差をつけることができる。
【００４６】
以上述べた処理によれば、色域外表示モードがＯＮの場合、入力画像データ中の色域外領域が所定の色（色域外色）で表示され、色域内領域は元の入力画像データの色相が維持されたカラー画像で表示される。したがって、ユーザは、入力画像データにおける色域外領域（画素）の有無及びその位置を容易に判断することができる。また、色域内領域が元の入力画像データと同じ（又は実質的に同じ）色調で表示されるので、ユーザは、どのような色が色域を外れているのかを直観的に把握することができる。さらに、色域内輝度維持モードをＯＮにすれば、色域内領域の輝度低下をキャンセル又は抑制することができるため、色域内領域の色の把握・確認が一層容易になる。なお、「色相の維持」とは、色相（いわゆるＨＳＶ空間における「Ｈ」）の厳密な一致を必要としない。ユーザが出力画像データに基づいて表示された画像を視て、入力画像データの色域内領域の色相を認識可能であれば、出力画像データの色域内領域と入力画像データの色域内領域とにおける色相のずれ（差）は、所定の範囲内で許容され得る。例えば、色域内領域の輝度もしくは後述する彩度を低減したことにより、ユーザが入力画像データにおける色相を想起しやすくするために調整され起こった色相の差は、許容され得る。また、画像処理における変換誤差により生じた色相の差についても許容され得る。
【００４７】
図３Ｂは、色域外表示処理の設定値を入力するためのＧＵＩの他の例を示している。図３ＢのＧＵＩは、輝度差調整値ＬＤを設定するための項目３１３を有している。この項目３１３は、色域内領域の輝度と色域外領域の輝度の両方を調整するパラメータである輝度差調整値ＬＤをユーザに設定させるための輝度設定ＧＵＩである。輝度差調整値ＬＤの値域は、−１００〜０の調整範囲をもつ範囲Ｒａと、０〜１００の調整範囲をもつ範囲Ｒｂに分けられる。範囲Ｒａは、色域外領域の表示輝度を維持し、色域内領域の表示輝度を低下させる調整範囲である。範囲Ｒｂは、色域内領域の表示輝度を維持し、色域外の表示輝度を上昇させる調整範囲である。
【００４８】
ユーザが項目３１３のスライダーを操作するか、又は、テキストボックスに−１００〜＋１００の数値を入力すると、制御部１０２は、式５に従って信号ゲイン値ＳＧを算出する。
【数３】
2020108048.tif 000005
【００４９】
輝度差調整値ＬＤが範囲Ｒａにある場合（つまり、ＬＤ＜０の場合）、制御部１０２は、色域内輝度維持モードをＯＦＦにし、バックライトゲイン値ＢＧを１．０に設定する。他方、輝度差調整値ＬＤが範囲Ｒｂにある場合（つまり、ＬＤ＞０の場合）、制御部１０２は、色域内輝度維持モードをＯＮにし、信号ゲイン値ＳＧの逆数をバックライトゲイン値ＢＧに設定する。図３Ｂの例の場合、信号ゲイン値ＳＧ＝０．５、色域内輝度維持モード：ＯＮ、バックライトゲイン値ＢＧ＝２．０となる。これ以外の処理は、前述したものと同じである。
【００５０】
図８は、表示装置１００において、表示可能な最大輝度を１００とした場合の赤、緑、青、シアン、マゼンタ、イエローの表示輝度の相対値を表したグラフである。また、図９Ａ、図９Ｂは、色域内領域と色域外領域の輝度を調整するパラメータ（輝度差調整値ＬＤ）をユーザに設定させるための輝度設定ＧＵＩの他の例を示している。図９Ａ、図９Ｂにおいて、輝度差調整値ＬＤの調整範囲のうち、範囲Ｒｃは、色域内領域の表示輝度の最大値が色域外領域の表示輝度より高くなる範囲を示している。
【００５１】
表示装置１００において、色域外色を緑にした場合、入力画像データに７１／１００以下の信号ゲイン値ＳＧをかけることで、色域内領域の表示輝度の最大値が色域外色（緑）の表示輝度より低くなることが図８からわかる。すなわち、図９Ａに示すように、範囲Ｒｃは−２９〜＋２９となる。表示装置１００において、色域外色を赤にした場合、入力画像データに２１／１００以下の信号ゲイン値ＳＧをかけることで、色域内領域の表示輝度の最大値が色域外色（赤）の表示輝度より低くなることが図８からわかる。すなわち、図９Ｂに示すように、範囲Ｒｃは−７９〜＋７９となる。このように、図９Ａ、図９Ｂに示すＧＵＩ上で範囲Ｒｃを明示することにより、画像の表示輝度の最大値を色域外色の表示輝度より低くするためのゲインの設定が容易に設定でき、ユーザの利便性を向上することができる。なお、図９Ａ、図９Ｂでは、色域内領域の輝度の最大値が色域外色の輝度よりも高くなるパラメータの範囲を示したが、逆に、色域内領域の輝度の最大値が色域外色の輝度よりも低くなるパラメータの範囲を示す方法でも同じ効果が得られる。
【００５２】
上記実施例では、色域外判定部１０９において、入力画像データの色域外領域を判定する例について説明したが、入力画像データの判定方法は特に限定されない。例えば、入力画像データの画素値ないし輝度値を所定の閾値と比較し、閾値を超える画素を色域外領域と判定してもよい。また、入力画像データにおける空間周波数の状態を判定に利用してもよい。また上記実施例では、信号ゲイン調整部１１０において、入力画像データをゲイン調整する例について説明したが、色域外領域と色域内領域のあいだの表示輝度に差をつける方法はこれに限られない。例えば、入力画像データにゲインを乗じる方法の代わりに、入力画像データの画素値ないし輝度値から所定のオフセットを減じる方法（オフセット調整）、あるいは、入力画像データに所定のガンマカーブをかける方法を採用してもよい。また、信号ゲイン値ＳＧや輝度差調整値ＬＤを自動で設定する構成としてもよい。例えば、入力画像データを解析することによりその表示輝度の最大値を取得し、表示輝度の最大値が色域外色の表示輝度より小さくなるように信号ゲイン値ＳＧを決定してもよい。また、上記実施例では、色域内輝度維持モードのＯＮ／ＯＦＦを切り換え可能としているが、いずれか一方のモードのみを有する構成でも構わない。また、色域外判定部１０９と信号ゲイン調整部１１０と色変換部１１１による演算処理を、３次元ルックアップテーブルによる処理に置き換えてもよい。
【００５３】
＜実施例２＞
以下、本発明の実施例２について説明する。実施例１では、色域内領域と色域外領域とのあいだで表示輝度の差をつける例について説明した。本実施例では、色域内領域と色域外領域とのあいだで彩度の差をつける方法を採用する。これにより、色域内領域の表示輝度を低下させることなく、色域外領域の視認性を高めることができる。なお、以下では、実施例１と異なる点（構成や処理）について詳しく説明し、実施例１と同じ点についての説明は省略する。
【００５４】
図１０は、実施例２に係る表示装置１００の構成の一例を示すブロック図である。実施例２の表示装置１００は、実施例１の表示装置１００（図１）の信号ゲイン調整部１０９が彩度調整部１１３に置き換わった構成となっている。本実施例では、色域外判定部１０９、彩度調整部１１３、及び色変換部１１１が、入力画像から色域外表示用の出力画像を生成する機能を構成している。
【００５５】
彩度調整部１１３は、彩度調整係数に基づき、入力画像データの彩度を調整する。彩度調整係数は、例えばマトリクス係数である。彩度調整部１１３は、マトリクス係数を入力画像データのＲＧＢ値に適用することにより、入力画像データの彩度を調整する。図１１は本実施例の色域外表示処理の設定ＧＵＩの例である。ユーザは、項目３３３の彩度設定ＧＵＩを利用して、色域内領域の画素の彩度の低下度合いを決めるパラメータである彩度
調整係数を変更することができる。ここで、項目３３３では、０〜１００の値を設定可能である。
【００５６】
項目３３３の値が１００の場合、彩度調整係数ＭＴＸとして、例えば、式６のマトリクス係数を彩度調整部１１３に適用する。この場合、入力画像データの表示彩度は最大となる。
【数４】
2020108048.tif 000006
【００５７】
項目３３３の値が０の場合、彩度調整係数ＭＴＸとして、例えば、式７のマトリクス係数を彩度調整部１１３に適用する。この場合、入力画像データの表示彩度は最小、すなわち、モノクロとなる。なお、式７のマトリクス係数は、Ｒｅｃ．２０２０色域の入力画像データに適用されるものとする。
【数５】
2020108048.tif 000007
【００５８】
項目３３３の値が５０の場合、彩度調整係数ＭＴＸとして、例えば、式８のマトリクス係数を彩度調整部１１３に適用する。この場合、項目３３３の値が１００の場合の彩度と０の場合の彩度の概ね中間になるよう、入力画像データの表示彩度が変換される。なお、式８のマトリクス係数は、Ｒｅｃ．２０２０色域の入力画像データに適用されるものとする。
【数６】
2020108048.tif 000008
【００５９】
図１２Ａ〜図１２Ｄに色域外表示処理の設定値の例を示し、それぞれの設定値に対応する表示画像の例を図１３Ａ〜図１３Ｄに示す。図１３Ａに示すように、入力画像データはオブジェクト７０とオブジェクト７１を含む画像であり、オブジェクト７０の一部の領域がＲｅｃ．７０９の色域外であり、それ以外の領域はＲｅｃ．７０９の色域内であるとする。
【００６０】
図１３Ａは、図１２Ａに示すように、ユーザ操作によって色域外表示がＯＦＦに設定された場合に、表示装置１００に表示される画像の例である。この場合、彩度調整部１１３および色変換部１１１をスルーして、入力画像データがそのまま表示装置１００に表示される。
【００６１】
図１３Ｂは、図１２Ｂに示すように、ユーザ操作によって色域外表示がＯＮに設定され、かつ、彩度が１００（最大値）に設定された場合に、表示装置１００に表示される画像の例である。この場合、彩度調整部１１３で入力画像データの彩度が１００％に調整され
た後、色変換部１１１で色域外領域の画素値が所定の色（色域外色）に置き換えられる。ここで所定の色には、色域内領域内の画素が取り得る彩度の最大値よりも高い彩度を有する色が設定される。この例では、オブジェクト７０中の色域外領域が赤色（Ｒ＝１．０、Ｇ＝０、Ｂ＝０）に置き換えられた入力画像データが、表示装置１００に表示される。
【００６２】
図１３Ｃは、図１２Ｃに示すように、ユーザ操作によって色域外表示がＯＮに設定され、かつ、彩度が５０（中間値）に設定された場合に、表示装置１００に表示される画像の例である。この場合、彩度調整部１１３で入力画像データの彩度が５０％に調整された後、色変換部１１１で色域外領域の画素値が所定の色（色域外色）に置き換えられる。これにより、色域内領域が入力画像データの５０％の彩度で表示され、色域外領域が高彩度の赤色で表示される。したがって、色域内領域と色域外領域とのあいだで彩度に明らかな差をつけることができるので、色域外領域の識別性・視認性を向上できる。
【００６３】
図１３Ｄは、図１２Ｄに示すように、ユーザ操作によって色域外表示がＯＮに設定され、かつ、彩度が０（最小値）に設定された場合に、表示装置１００に表示される画像の例である。この場合、彩度調整部１１３で入力画像データの彩度が０％、すなわち、モノクロに変換された後、色変換部１１１で色域外領域の画素値が所定の色（色域外色）に置き換えられる。これにより、色域内領域がモノクロで表示され、色域外領域が高彩度の赤色で表示される。
【００６４】
以上述べた処理によれば、色域外表示モードがＯＮの場合、入力画像データ中の色域外領域が所定の色（色域外色）で表示され、色域内領域は元の入力画像データの彩度が低減された画像で表示される。したがって、ユーザは、入力画像データにおける色域外領域（画素）の有無及びその位置を容易に判断することができる。また、彩度の設定値を０より大きい値にすることで、色域内領域がモノクロではなく、元の入力画像データと同じ（又は実質的に同じ）色調で表示されるので、ユーザは、どのような色が色域を外れているのかを容易に確認することができる。
【００６５】
本実施例のＧＵＩでは、彩度に０〜１００の値を設定できるようにしたが、彩度の下限値を０より大きい値にしてもよい（例えば、彩度に３０以下の値を設定できなくするなど）。あるいは、彩度が０に設定された場合でも、色域内領域の彩度を完全に０にするのではなく、色域内領域の色調が確認できる程度の最低限の彩度が残るようにしてもよい。これにより、入力画像データの色情報が完全に失われることを防止できるので、色域内領域に入力画像データと同じ色調のカラー画像を表示しつつ、色域内領域と色域外領域のあいだの表示彩度に差をつける表示が実現できる。また、設定ＧＵＩにおいて、色域外領域を示す所定の色として、色域内領域内の画素が取り得る彩度の最大値よりも高い彩度を有する色のみが設定可能なように制限してもよい。また、図９Ａ、図９Ｂと同じように、色域内領域の画素が取り得る彩度の最大値が色域外領域の彩度よりも高くなる（又は低くなる）パラメータの範囲をユーザに示してもよい。
【００６６】
＜実施例３＞
以下、本発明の実施例３について説明する。実施例１では、色域内領域と色域外領域とのあいだで表示輝度の差をつける例について説明した。さらに、実施例２では、色域内領域と色域外領域とのあいだで表示彩度の差をつける例について説明した。本実施例では、色域外領域をブリンキング表示することで、色域外表示の視認性を高める例について説明する。なお、以下では、実施例１および実施例２と異なる点（構成や処理）について詳しく説明し、実施例１および実施例２と同じ点についての説明は省略する。
【００６７】
図１４は、実施例３に係る表示装置１００の構成の一例を示すブロック図である。実施例３の表示装置１００は、色変換部１１１と信号切換部１１２のあいだにブリンキング制
御部１１４が追加された構成となっている。ブリンキング制御部１１４は、入力画像データと色変換部１１１の出力画像データとを、一定の時間間隔で切り換えて、信号切換部１１２に出力する。時間間隔は、固定であってもよいし、ユーザによって変更可能でもよい。本実施例では、色域外判定部１０９、色変換部１１１、及びブリンキング制御部１１４が、入力画像から色域外表示用の出力画像を生成する機能を構成している。
【００６８】
本実施例によれば、色域内領域の表示はそのままで、色域外領域の表示／非表示を一定の時間間隔で切り換える制御が行われる。すなわち、色域外領域が所定の色（色域外色）で点滅するような表示画像が得られる。このような表示によれば、色域外領域の視認性をより高めることができる。なお、実施例１、２の構成に本実施例のブリンキング制御を追加してもよい。これにより、色域内領域と色域外領域とのあいだの輝度又は彩度の差と、色域外領域のブリンキングの相乗効果により、視認性を一層高めることができる。また、本実施例では単純なブリンキングを用いたが、ブリンキング以外にも色域外領域の表示を時間的に変化させるような表示効果（アニメーション効果と総称する）を与えることで、視認性の向上を図ることが可能である。アニメーション効果としては、例えば、色域外領域の色及び／又は輝度を時間的に変化させる方法などがある。
【００６９】
＜実施例４＞
以下、本発明の実施例４について説明する。実施例１では、液晶ディスプレイなどの透過型の表示パネル、および、バックライトを有する表示装置の例について説明した。本実施例では、ＯＬＥＤ（Ｏｒｇａｎｉｃ  Ｌｉｇｈｔ  Ｅｍｉｔｔｉｎｇ  Ｄｉｏｄｅ）などの自発光型の表示パネルを有する表示装置の例について説明する。なお、以下では、実施例１と異なる点（構成や処理）について詳しく説明し、実施例１と同じ点についての説明は省略する。
【００７０】
図１５は、実施例４に係る表示装置１００の構成の一例を示すブロック図である。パネル制御部１１５は、画像処理部１０４から出力される出力画像データが所望の輝度でパネル１１６に表示されるよう、パネル１１６を制御する。パネル１１６は、パネル制御部１１５の制御に基づいて出力画像データを表示する自発光型の表示パネルである。パネル１１６は、例えばＯＬＥＤ、プラズマディスプレイパネル等である。
【００７１】
色域外表示処理の流れは、実施例１のもの（図２）と基本的に同じである。ただし、ステップＳ２７とＳ２８の処理が以下のように異なる。ステップＳ２７において、制御部１０２は、信号ゲイン調整部１１０で画像データに施された輝度変換（階調圧縮）をキャンセルするために、パネル１１６の発光輝度を増加させる。具体的には、制御部１０２は、信号ゲイン値ＳＧの逆数（１／ＳＧ）をパネル輝度ゲイン値ＬＧとして算出し、これをパネル制御部１１５に設定する。例えば、信号ゲイン値ＳＧが０．５の場合、パネル輝度ゲイン値ＬＧはＬＧ＝１／０．５＝２．０となる。ステップＳ２８では、パネル制御部１１５が、パネル輝度ゲイン値ＬＧに基づき、パネル１１６の電流値を制御する。
【００７２】
上述のように、本実施例によれば、自発光型の表示パネルを有する表示装置において、実施例１の処理と同様の処理が行われる。具体的には、色域外表示モードがＯＮの場合、入力画像データ中の色域外領域が所定の色（色域外色）で表示され、色域内領域は元の入力画像データの色情報が保持されたカラー画像で表示される。したがって、ユーザは、入力画像データにおける色域外領域（画素）の有無及びその位置を容易に判断することができる。また、色域内領域が元の入力画像データと同じ（又は実質的に同じ）色調で表示されるので、ユーザは、どのような色が色域を外れているのかを容易に確認することができる。さらに、色域内輝度維持モードをＯＮにすれば、色域内領域の輝度低下をキャンセル又は抑制することができるため、色域内領域の色の把握・確認が一層容易になる。
【００７３】
なお、自発光型の表示パネルを有する表示装置に対して実施例１の処理を適用する例を説明したが、自発光型の表示パネルを有する表示装置に対して実施例２および実施例３の処理を適用してもよい。実施例１と同様に、画像データのゲインとパネルの表示輝度を調整することにより、色域内領域と色域外領域のあいだの表示輝度の差を調整する例について説明したが、表示輝度差の調整方法は特に限定されない。例えば、色域外領域の画素のみ、パネルの電流値等を調整して、表示輝度を上げることも可能である。
【００７４】
以上、本発明の好ましい実施形態について説明したが、本発明はこれらの実施形態に限定されず、その要旨の範囲内で種々の変形及び変更が可能である。本発明は、上述の実施例の１以上の機能を実現するプログラムを、ネットワーク又は記憶媒体を介してシステムまたは装置に供給し、そのシステムまたは装置のコンピュータにおける１つ以上のプロセッサがプログラムを読出し実行する処理でも実現可能である。すなわち本発明はコンピュータ読取可能な記録媒体として捉えることもできる。また、１以上の機能を実現する回路（例えば、ＡＳＩＣ）によっても実現可能である。
【符号の説明】
【００７５】
１００  表示装置
１０２  制御部
１０４  画像処理部
１０９  色域外判定部
１１０  信号ゲイン調整部
１１１  色変換部
【図１】
2020108048.tif 000009
【図２】
2020108048.tif 000010
【図３】
2020108048.tif 000011
【図４】
2020108048.tif 000012
【図５】
2020108048.tif 000013
【図６】
2020108048.tif 000014
【図７】
2020108048.tif 000015
【図８】
2020108048.tif 000016
【図９】
2020108048.tif 000017
【図１０】
2020108048.tif 000018
【図１１】
2020108048.tif 000019
【図１２】
2020108048.tif 000020
【図１３】
2020108048.tif 000021
【図１４】
2020108048.tif 000022
【図１５】
2020108048.tif 000023